(57)【要約】【課題】  靴クリーム塗布装置に交換可能な塗布器を使用することによって、より長く靴クリーム塗布装置を使用することを可能とする靴用クリームの塗布装置を提案するものである。【解決手段】  靴用クリームの塗布装置であって、靴クリームが収納された靴クリーム収納部と、靴クリーム塗布部が先端に設けられ、上記靴クリーム収納部に圧入、又は螺着された靴クリーム塗布器と、を有し、該靴クリーム塗布器は上記靴クリーム収納部に着脱可能に構成されていることを特徴とする。【選択図】  図１
2014212917.tif 000002
【特許請求の範囲】
【請求項１】
革靴に塗布する靴クリームが収納された靴クリーム収納部と、
靴クリーム塗布部が先端に設けられ、前記靴クリーム収納部に圧入された靴クリーム塗布器と、を有し、
該靴クリーム塗布器は前記靴クリーム収納部に着脱可能に構成されていることを特徴とする靴用クリームの塗布装置。
【請求項２】
革靴に塗布する靴クリームが収納された靴クリーム収納部と、
靴クリーム塗布部が先端に設けられ、前記靴クリーム収納部に螺着された靴クリーム塗布器と、を有し、
該靴クリーム塗布器は前記靴クリーム収納部に着脱可能に構成されていることを特徴とする靴用クリームの塗布装置。
【請求項３】
前記靴クリーム塗布器を前記靴クリーム収納部に圧入することによって前記靴クリーム収納部に設けられた蓋体が開き、前記靴クリーム収納部に収納された靴クリームが前記靴クリーム塗布部に吐出することを特徴とする請求項１に記載の化粧剤塗布装置。
【請求項４】
前記靴クリーム塗布器を前記靴クリーム収納部に圧入することによって前記靴クリーム収納部に設けられた蓋体が開き、前記靴クリーム収納部に収納された靴クリームが前記靴クリーム塗布部に吐出することを特徴とする請求項１に記載の化粧剤塗布装置。
【発明の詳細な説明】
【技術分野】
【０００１】
本発明は、革靴の保革、艶出し用の靴用クリームの塗布装置に関する。
【背景技術】
【０００２】
現在、革靴の甲革に塗布する靴クリームや仕上げ剤において、従来の保革作用や艶出し効果を兼ね備え、且つ、持続性の高い防汚性を付与する為の靴用クリームが使用されている。この様な靴用クリームは、例えばチューブの容器に収納され、必要に応じて蓋を外し、革靴に塗布している。
【０００３】
また、通常の液体のみならずゲルやクリーム状物等の高粘度の流動体をも軽い力で吐出させることができる流動体容器も提案されている。例えば、特許文献１はこのような容器の提案であり、流動体吐出ポンプと、ノズルヘッドと、外蓋とを備え、その内部に靴クリーム等の流動体を貯留する容器であり、軽い力で流動体を吐出させる発明である。
【先行技術文献】
【特許文献】
【０００４】
【特許文献１】特開２００１−１７９１３９号公報
【発明の概要】
【発明が解決しようとする課題】
【０００５】
しかしながら、上記特許文献１に係る発明は外蓋を外し、靴クリーム等の流動体を吐出させるものであり、ノズルヘッドを使い捨てにして使用することはできない。また、靴クリームの塗布にチューブ容器を使用する場合にも、クリームの塗布部を使い捨て構造とするものではない。
【０００６】
しかし、例えば多数回使用することによって靴クリームの塗布部が劣化し、靴にクリームを塗り難くなる場合もある。
【０００７】
そこで、本発明は靴クリーム塗布装置に交換可能な塗布器を使用することによって、より長く靴クリーム塗布装置を使用することを可能とする靴用クリームの塗布装置を提案するものである。
【課題を解決するための手段】
【０００８】
上記課題は第１の発明によれば、革靴に塗布する靴クリームが収納された靴クリーム収納部と、靴クリーム塗布部が先端に設けられ、前記靴クリーム収納部に圧入された靴クリーム塗布器と、を有し、該靴クリーム塗布器は前記靴クリーム収納部に着脱可能に構成されている靴用クリームの塗布装置を提供することによって達成できる。
【０００９】
また、上記課題は第２の発明によれば、革靴に塗布する靴クリームが収納された靴クリーム収納部と、靴クリーム塗布部が先端に設けられ、前記靴クリーム収納部に螺着された靴クリーム塗布器と、を有し、該靴クリーム塗布器は前記靴クリーム収納部に着脱可能に構成されている靴用クリームの塗布装置を提供することによって達成できる。
【００１０】
また、上記課題は第２の発明によれば、前記靴クリーム塗布器を前記靴クリーム収納部に圧入することによって前記靴クリーム収納部に設けられた蓋体が開き、前記靴クリーム収納部に収納された靴クリームが前記靴クリーム塗布部に吐出する靴用クリームの塗布装置を提供することによって達成できる。
【発明の効果】
【００１１】
本発明によれば、靴用クリームの塗布装置の使用を繰り返し、例えば靴クリーム塗布部劣化した場合でも、容易に新たな塗布部と交換することができる。また、交換の際、靴クリームの蓋が閉じ、靴クリームが毀れることを防止することができる。
【図面の簡単な説明】
【００１２】
【図１】本実施形態の靴用クリームの塗布装置の外観図である。
【図２】キャップを外した状態の靴用クリームの塗布装置の外観図である。
【図３】実施例１の靴用クリームの塗布装置を説明する図である。
【図４】実施例２の靴用クリームの塗布装置を説明する図である。
【発明を実施するための形態】
【００１３】
以下、本発明の実施形態を図面に基づいて詳細に説明する。
図１は本実施形態の靴クリーム塗布器（以下、単に塗布器で示す）を取り付け、リキッド状の靴用クリームを入れた靴用クリームの塗布装置１の外観図であり、例えばプラスチック容器で構成されている。尚、図１において、靴用クリームの塗布装置１の塗布器が取り付けられた部分はキャップ２が締着されている。また、靴用クリームの塗布装置１内には、リキット状の靴クリームに代えてゼリー状の靴クリームを収納する構成としてもよい。
【００１４】
図２は上記キャップ２を外した状態の靴用クリームの塗布装置１を示す。同図に示すように、靴用クリームの塗布装置１は、靴クリームを収納する収納部３と塗布器４を装置本体に取り付ける取付部５で構成されている。靴クリームは、例えば油脂や、ろう、染料等を主成分とする乳化性の材料で構成されている。収納部３に収納される上記材料の靴クリームは、取付部５及び塗布器４を介して外部に吐出する。
尚、同図に示すように、取付部５は靴用クリームの塗布装置（プラスチック容器）１の収納部３に対して斜め上方に突き出した構造である。
【００１５】
次に、上記塗布器４の構成について説明する。図２に示すように、塗布器４は靴クリーム塗布部６、基材７、軸部８で構成されている。靴クリーム塗布部６は、交換用ラバースポンジ、又は布、又は樹脂等で構成され、靴クリームが浸透する材料が使用されている。また、靴クリーム塗布部６は基材７に貼着され、基材７には軸部８が立設されている。
軸部８は所定の弾性力を有し、例えば靴を靴クリーム塗布部６に圧接する際、スポンジ状の靴クリーム塗布部６を保護する。
【００１６】
本例の塗布器４は靴用クリームの塗布装置１の本体に対して着脱可能であり、以下にその構造を説明する。
（第１の実施例）
図３は第１の実施例を説明する図である。同図において、塗布部４は上記のように、靴クリーム塗布部６、基材７、軸部８で構成され、更に突出部９を備える。この突出部９は上記軸部８の突出方向に対して反対方向に立設されている。この突出部９は後述する靴クリームの収納部３内の蓋１０を開閉する機能を有する。
【００１７】
また、基材７の外径はＬ１に設定されており、取付部５の内径はＬ２に設定されている。ここで、上記基材７の外径Ｌ１は取付部５の内径Ｌ２より若干広く形成されている。取付部５の外周には前述のキャップ２を締着するためのネジが形成されている。
【００１８】
上記のように構成することによって、例えば塗布部４を靴用クリームの塗布装置１に取り付ける際には、靴用クリームの塗布装置１の取付部５に嵌入することによって取り付けることができる。すなわち、前述のように塗布部４の基材７の外径Ｌ１は取付部５の内径Ｌ２より若干広く形成されており、塗布部４を取付部５に嵌入することによって基材７と取付部５が圧接し、塗布部４を取付部５（靴用クリームの塗布装置１）に取り付けることができる。
【００１９】
またこの時、基材７に立設された突出部９は矢印方向に付勢力を有する蓋体１０を実線で示す位置から点線で示す位置まで移動させ、収納部２内の靴クリームを吐出可能な状態とする。このように構成することによって、以後収納部２内に収納された靴クリームは塗布部４のスポンジ状の靴クリーム塗布部６に浸透し、靴にクリームを塗布できる状態とする。
【００２０】
一方、本例の靴用クリームの塗布装置１の使用を繰り返し、靴クリーム塗布部６が徐々に劣化し、靴へのクリームの塗布を行い難くなった場合、塗布部４を取付部５から引き抜き新たな塗布部４と交換することができる。この交換作業も容易であり、新たな塗布部４を取付部５に所定の圧力で差し込むだけで良く、簡単に塗布部４の交換を行うことができる。
【００２１】
また、本例によれば、古い塗布部４を引き抜くと、前述の突出部９によって開放されていた蓋部１０が閉じ、新たな塗布部４を取り付けるまで、収納部３内の靴クリームが零れ落ちることが防止される。
【００２２】
（第２の実施例）
図４は第２の実施例を説明する図である。同図においても、塗布部４は前述と同様、靴クリーム塗布部６、基材７、軸部８で構成され、更に突出部９を備える。さらに本例においては、基材７の外周には雄ネジ１１が形成されている。一方、取付部５の内面には雌ネジ１２が形成され、上記基材７側の雄ネジに螺着する構成である。尚、取付部５の外周には前述と同様、キャップ２を締着するためのネジが形成されている。
【００２３】
上記のように構成することによって、例えば塗布部４を靴用クリームの塗布装置１に取り付ける際には、靴用クリームの塗布装置１の取付部５の雌ネジ１２に基材７の外周に形成された雄ネジを螺着させ、取り付けることができる。またこの時、前述と同様、基材７に立設された突出部９は矢印方向に付勢力を有する蓋体１０を実線で示す位置から点線で示す位置まで移動させ、収納部２内の靴クリームを吐出可能な状態とする。このように構成することによっても、以後収納部２内に収納された靴クリームは塗布部４のスポンジ状の靴クリーム塗布部６に浸透し、靴にクリームを塗布できる状態とする。
【００２４】
一方、本例の靴用クリームの塗布装置１の使用を繰り返し、靴クリーム塗布部６が徐々に劣化し、靴へのクリームの塗布を行い難くなった場合、基材７と取付部５の螺着を外し、容易に塗布部４を取付部５（靴用クリームの塗布装置１）から取り外すことができる。また、新たな塗布部４を取り付ける際も塗布部４を取付部５に螺着すればよく、容易に取り付けることができる。
【００２５】
また、本例においても、古い塗布部４を引き抜く際、前述の突出部９によって開放されていた蓋部１０が閉じ、新たな塗布部４を取り付けるまで、収納部３内の靴クリームが零れ落ちることが防止される。
【符号の説明】
【００２６】
１・・・靴用クリームの塗布装置
２・・・キャップ
３・・・収納部
４・・・塗布器
５・・・取付部
６・・・靴クリーム塗布部
７・・・基材
８・・・軸部
９・・・突出部
１０・・蓋体
１１・・雄ネジ
１２・・雌ネジ
【図１】
2014212917.tif 000003
【図２】
2014212917.tif 000004
【図３】
2014212917.tif 000005
【図４】
2014212917.tif 000006